【手続補正書】
【提出日】平成26年5月21日(2014.5.21)
【手続補正１】
【補正対象書類名】特許請求の範囲
【補正対象項目名】全文
【補正方法】変更
【補正の内容】
【特許請求の範囲】
【請求項１】
始動条件の成立に応じて各々を識別可能な複数種類の識別情報の可変表示を行い表示結果を導出表示する可変表示手段に停止表示された識別情報からなる表示結果が、予め定められた特定表示結果となったときに、遊技者にとって有利な特定遊技状態に制御する遊技機であって、
前記始動条件が成立したときに、可変表示を開始する開始条件が成立していない可変表示に関する情報を保留記憶として記憶可能な保留記憶手段と、
前記保留記憶に基づいて、前記識別情報の表示結果を前記特定表示結果とするか否かを決定する事前決定手段と、
前記保留記憶手段に記憶されている前記保留記憶に基づく前記開始条件が成立する前に、前記保留記憶に基づく可変表示の表示結果が前記特定表示結果となるか否かを判定する保留記憶判定手段と、
前記保留記憶判定手段の判定結果に基づいて、前記保留記憶手段に記憶されている前記保留記憶を特定可能に所定の保留表示態様で表示する保留表示手段と、
前記特定遊技状態に移行する可能性を示唆する複数種類の特定演出の何れかを実行する特定演出実行手段とを備え、
前記保留表示手段は、前記特定演出実行手段により前記複数種類の特定演出のうちの何れの特定演出が実行されるかに応じて異なる割合で、前記保留表示態様を変化させる、
ことを特徴とする遊技機。
【請求項２】
前記保留表示態様を変化させるか否かを決定する保留変化決定手段を備えることを特徴とする請求項１に記載の遊技機。
【請求項３】
前記保留表示態様の変化を制限する制限手段を備えることを特徴とする請求項１又は２に記載の遊技機。
【手続補正２】
【補正対象書類名】明細書
【補正対象項目名】０００５
【補正方法】変更
【補正の内容】
【０００５】
しかしながら、従来の遊技機では、遊技者は、特定演出の種類から、その後に実行される保留記憶表示の態様を予想することができず、興趣を欠いていた。
【手続補正３】
【補正対象書類名】明細書
【補正対象項目名】０００７
【補正方法】変更
【補正の内容】
【０００７】
（１）上記目的を達成するため、本願の第１の観点に係る遊技機は、始動条件（始動入賞）の成立に応じて各々を識別可能な複数種類の識別情報（例えば特別図柄など）の可変表示を行い表示結果を導出表示する可変表示手段（例えば演出表示装置９など）に停止表示された識別情報からなる表示結果が、予め定められた特定表示結果（例えば大当り組合せの最終停止図柄など）となったときに、遊技者にとって有利な特定遊技状態（例えば大当り遊技状態など）に制御する遊技機（例えばパチンコ遊技機１など）であって、前記始動条件が成立したときに、可変表示を開始する開始条件が成立していない可変表示に関する情報を保留記憶として記憶可能な保留記憶手段（例えば第１保留記憶バッファ、第２保留記憶バッファなど）と、前記保留記憶に基づいて、前記識別情報の表示結果を前記特定表示結果とするか否かを決定する事前決定手段（例えば図２２のステップＳ２２０〜Ｓ２３３の処理を実行するＣＰＵ５６など）と、前記保留記憶手段に記憶されている前記保留記憶に基づく前記開始条件が成立する前に、前記保留記憶に基づく可変表示の表示結果が前記特定表示結果となるか否かを判定する保留記憶判定手段（例えば図３３のステップＳ６１４〜Ｓ６１６の処理を実行する演出制御用ＣＰＵ１０１など）と、前記保留記憶判定手段の判定結果に基づいて、前記保留記憶手段に記憶されている前記保留記憶を特定可能に所定の保留表示態様で表示する保留表示手段（例えば図３９のステップＳ６００８の処理を実行する演出制御用ＣＰＵ１０１及び例えば第１保留記憶表示部９ａ及び第２保留記憶表示部９ｂなど）と、前記特定遊技状態に移行する可能性を示唆する複数種類の特定演出の何れかを実行する特定演出実行手段（例えば図４６のステップＳ８１０５の処理を実行する演出制御用ＣＰＵ１０１など）とを備え、前記保留表示手段は、前記特定演出実行手段により前記複数種類の特定演出のうちの何れの特定演出が実行されるかに応じて異なる割合で、前記保留表示態様を変化させる（例えば演出制御用ＣＰＵ１０１による図４６のステップＳ８１１３の処理など）、ことを特徴とする。
（２）上記（１）の遊技機において、前記保留表示態様を変化させるか否かを決定する保留変化決定手段（例えば、図３９のステップＳ６００８において、保留予告演出の実行有無を決定する演出制御用ＣＰＵ１０１など）を備えるようにしてもよい。
（３）上記（１）又は（２）の遊技機において、前記保留表示態様の変化を制限する制限手段（例えば、図３９のステップＳ６００８において、大当り遊技中には保留予告演出を実行しないこととする演出制御用ＣＰＵ１０１など）を備えるようにしてもよい。
【手続補正４】
【補正対象書類名】明細書
【補正対象項目名】０００９
【補正方法】変更
【補正の内容】
【０００９】
（４）上記（１）から（３）の何れかの遊技機において、前記特定演出実行手段は、前記事前決定手段により前記識別情報の表示結果を前記特定表示結果とすると決定された場合、前記複数種類の特定演出のうちの第１特定演出を、該第１特定演出とは異なる第２特定演出よりも高い割合で実行する一方で、前記識別情報の表示結果を前記特定表示結果以外の表示結果とすると決定された場合、前記第２特定演出を前記第１特定演出よりも高い割合で実行し、前記保留表示手段は、前記特定演出実行手段により前記第２特定演出が実行される場合、前記第１特定演出が実行される場合よりも高い割合で、前記保留表示態様を変化させる、ようにしてもよい（例えば演出制御用ＣＰＵ１０１による図３９のステップＳ６００８において図４２に示す保留予告決定テーブルを用いて保留予告演出の実行を決定する処理など）。
【手続補正５】
【補正対象書類名】明細書
【補正対象項目名】００１１
【補正方法】変更
【補正の内容】
【００１１】
（５）上記（１）から（４）の何れかの遊技機において、前記保留表示手段は、前記特定演出において前記特定遊技状態に移行しない（例えばハズレなど）ことが示唆されたタイミングで、前記保留表示態様を変化させる、ようにしてもよい（例えばハズレの場合に演出制御用ＣＰＵ１０１による図３９のステップＳ６００８において保留予告演出の実行を決定する処理など）。
【手続補正６】
【補正対象書類名】明細書
【補正対象項目名】００１３
【補正方法】変更
【補正の内容】
【００１３】
（６）上記（１）から（５）の何れかの遊技機において、前記事前決定手段により前記識別情報の表示結果を前記特定表示結果とすると決定された場合に前記特定表示結果以外の表示結果とすると決定された場合よりも高い割合で、予告演出のうちの特定予告演出（例えば演出図柄の可変表示の表示結果が大当り信頼度が高いことを示す所定演出、可動物予告演出など）を実行する特定予告演出実行手段（例えば演出制御用ＣＰＵ１０１が、図４３のステップＳ８００３において、特定予告演出を、他の予告演出よりも高い割合で実行することを決定し、図４６のステップＳ８１１３において特定予告演出を実行する処理など）をさらに備え、前記保留表示手段は、前記特定予告演出実行手段により前記特定予告演出が実行される場合、前記保留表示態様の変化を制限する、ようにしてもよい（例えば演出制御用ＣＰＵ１０１による図４６のステップＳ８１１３において予告演出を実行する場合には保留予告演出を非実行とする処理など）。
【手続補正７】
【補正対象書類名】明細書
【補正対象項目名】００１５
【補正方法】変更
【補正の内容】
【００１５】
（７）上記（１）から（５）の何れかの遊技機において、前記事前決定手段により前記識別情報の表示結果を前記特定表示結果とすると決定された場合、前記特定表示結果以外の表示結果とすると決定された場合よりも高い割合で、予告演出のうちの特定予告演出（例えば演出図柄の可変表示の表示結果が大当り信頼度が高いことを示す所定演出、可動物予告演出など）を実行する特定予告演出実行手段（例えば演出制御用ＣＰＵ１０１が、図４３のステップＳ８００３において、特定予告演出を、他の予告演出よりも高い割合で実行することを決定し、図４６のステップＳ８１１３において特定予告演出を実行する処理など）をさらに備え、前記特定予告演出実行手段は、前記保留表示手段が前記保留記憶判定手段の判定結果に基づいて、前記保留表示態様を変化させる場合、前記特定予告演出の実行を制限する、ようにしてもよい（例えば演出制御用ＣＰＵ１０１による特定予告演出を実行する場合にはその特定予告演出が終了するまで保留予告演出の実行を制限する処理など）。
【手続補正８】
【補正対象書類名】明細書
【補正対象項目名】００１７
【補正方法】変更
【補正の内容】
【００１７】
（８）上記（１）から（７）の何れかの遊技機において、前記保留記憶判定手段の判定結果に基づいて、特定のタイミング（例えば始動入賞のタイミング）で該判定の対象となった識別情報の可変表示が実行される前に開始される可変表示において所定予告演出（例えば保留予告演出など）を実行する所定予告演出実行手段（例えば保留予告演出の態様で、第１保留表示を１つ増加させる処理を実行する演出制御用ＣＰＵ１０１など）と、予告演出（例えば所定演出、可動物予告演出など）を実行する予告演出実行手段（例えば図３８のステップＳ８００Ａの処理を実行する演出制御用ＣＰＵ１０１など）とを備え、前記所定予告演出実行手段は、前記特定のタイミングにおいて前記予告演出実行手段によって識別情報の可変表示中に予告演出のうちの特定予告演出が実行されている場合には、前記所定予告演出の実行を制限する、ようにしてもよい。